(57)【要約】　【課題】 種々の手の形状や大きさへの鋏の適応性を改良し、また親指に対する圧迫を解消して、頻繁に使用しても圧迫箇所を発生させず、かつ正確な操作を可能とする。　【解決手段】 回転軸２に連結された二つの鋏半部３と４を有し、これらの鋏半部はそれぞれ一つの刃５と６ならびに握りを備えたシャンク７と８を有し、一方の鋏半部３の握りは、シャンク７から鋏平面においてほぼ垂直に横に突き出ているウエブ１３と、ウエブ１３の、シャンク７と反対側端部に向かい合っているシャンク７のほぼ長手方向に延びている二つの脚部１４および１５とを有するＴ形握り９として形成されている。Ｔ形握り９は取り外し可能でありならびに第一の鋏半部３のシャンク７の長手方向に調整可能でありかつ停止可能であり、かつ他方の鋏半部４の握りはシャンク８の長手方向配置が固定され、回転可能である。【選択図】　図１
2004113820.tif 000002
【特許請求の範囲】
【請求項１】
　回転軸(2)に連結された二つの鋏半部(3,4)を有し、これらの鋏半部はそれぞれ一つの刃(5,6)ならびに握りを備えた一つのシャンク(7,8)を有し、一方の鋏半部の握りは、シャンク(7)からほぼ垂直に鋏平面内を横に張り出しているウェブ(13)を有するＴ形握り(9)として形成されかつウエブ(13)の、シャンク(7)と反対側端部に向かい合ってほぼシャンク(7)の長さ方向に延びている二つの脚部(14,15)が形成されている鋏、特に理髪用鋏において、
　Ｔ形握り(9)は取り外し可能でありならびに第１の鋏半部(3)のシャンク(7)の長さ方向に調整可能でかつ止めることが可能であり、他方の鋏半部(4)の握りはシャンク(8)の長さ方向に固定配置され、Ｔ形握り(9)は柄部分(11)に成形され、この柄部分は溝と板状片の係合による連結部を介してシャンク(7)と連結され、Ｔ形握り(9)の柄部分(11)は、二つの側壁(17a, 17b)のある溝(17)を有し、そのうち一方の壁(17a)はねじ(19)のための差し込み穴(18)を有しかつ溝(17)の向かい合っている側壁(17b)に一直線に並んでねじ(19)のための雌ねじ(20)が設けられており、柄部分(11)の溝(17)内に変位可能に収容されたシャンク(7)が長穴(21)を有し、シャンク(7)の長穴(21)はねじ(19)により貫通されており、
　シャンク(8) の長さ方向に固定されている握りが回転握り(10)として形成され、この回転握りは鋏平面内をならびにシャンク(8) の長さ方向を横切って延びている軸線(16)を中心として回転可能であることを特徴とする鋏。
【請求項２】
　回転握り(10)は、シャンク(8) に配置された柄部分(12)に支承されている請求項１に記載の鋏。
【請求項３】
　柄部分(12)は内側支承部(22)を有し、回転握り(10)に取り付けられた長穴(23)が内側支承部(22)内で回転可能である請求項２に記載の鋏。
【請求項４】
　回転握り(10)は任意の回転位置に止めることができる請求項１から３のいずれか１項に記載の鋏。
【請求項５】
　回転握り(10)の回転領域を或る角度範囲(W) に限定する回転限界部(26)が設けられている請求項１から４のいずれか１項に記載の鋏。
【請求項６】
　回転限界部(26)は柄部分(12)に設けられた長穴(27)を有し、この長穴の端部は、回転握り(10)に取り付けられた、長穴(27)の中へ突出するピン(28)のためのストッパー(27a,27b) として役立つ請求項５に記載の鋏。
【請求項７】
　回転握り(10)は閉鎖された握りアイ(10a) としてまたは開放した形状を有するＣ形握り(10b) として形成されている請求項１から６のいずれか１項に記載の鋏。
【発明の詳細な説明】
【技術分野】
【０００１】
　本発明は、回転軸に連結された二つの鋏半部を有し、これらの鋏半部はそれぞれ一つの刃ならびに握りを備えた一つのシャンクを有し、一方の鋏半部の握りは、シャンクからほぼ垂直に鋏平面内を横に張り出しているウエブを有するＴ形握りとして形成されかつウエブの、シャンクと反対側端部に向かい合ってほぼシャンクの長さ方向に延びている二つの脚部が形成されている鋏に関する。
【背景技術】
【０００２】
　鋏半部に設けられた鋏の握りは、通例、一方の握りが親指によりかつ他方の握りが手の残りの指により操作されるように使用者の手に合わされている。一方の鋏半部を操作するために中指や薬指で間に合うことが多い。
【０００３】
　中指と薬指により操作される握りがＴ形握りとして形成されている鋏は知られている。Ｔ形握りのウエブは、この鋏を使用するときに中指と薬指の間に挟みこまれる。中指と薬指では非常に感じやすく取り扱うことができるので、これらの指により掴むことができるウエブを設けることが有利であることが判明した。Ｔ形握りのウエブを介して鋏半部を正確に導くことができる。
【０００４】
　不利なことには、周知の鋏は種々の大きさの手や指の太さに合わせることができない。
【０００５】
　両方の鋏半部の固定握りは、特に、この鋏に最適な手の大きさから外れている手をもった使用者にとっては、使用中、容易に炎症も起こし得る非常に急に痛い圧迫箇所の原因となる。
【発明の開示】
【発明が解決しようとする課題】
【０００６】
　本発明の課題は、周知の鋏の利点を維持しながら、頻繁に使用しても全く圧迫箇所を生ぜしめず、かつ常に正確に操作することができる鋏を提供することである。
【課題を解決するための手段】
【０００７】
　上記の課題は、本発明の鋏の以下の構成により解決される。本発明の鋏は、Ｔ形握りが取り外し可能であり、ならびに第１の鋏半部のシャンクの長さ方向に調整可能でかつ止めることが可能である。他方の鋏半部の握りはシャンクの長さ方向に固定配置されている。Ｔ形握りは柄部分に成形され、この柄部分は溝と板状片の係合による連結部を介してシャンクと連結されている。Ｔ形握りの柄部分は、二つの側壁のある溝を有し、そのうち一方の壁はねじのための差し込み穴を有し、かつ溝の向かい合っている側壁に一直線に並んでねじのための雌ねじが設けられている。柄部分の溝内に変位可能に収容されたシャンクが長穴を有し、シャンクの長穴はねじにより貫通されている。さらに、シャンク(8) の長さ方向に固定されている握りが回転握り(10)として形成され、この回転握りは鋏平面内をならびにシャンク(8) の長さ方向を横切って延びている軸線(16)を中心として回転可能である。
【０００８】
　この構造により、常に種々の大きさの手にとって最適な握り位置が調整可能であり、かつ鋏が使用者に使用中常に正確な触感を一時的な挟み位置を介して仲介するように、両方の鋏半部の握りの相対位置が互いに調和可能である。
【０００９】
　Ｔ形握りが使用者の手にとって小さすぎるかまたは大きすぎる場合には、これを取り外して、適切なＴ形握りにより取り替えることができる。
【００１０】
　Ｔ形握りが設けられた柄部分とシャンクの連結部の上記構成により、鋏の簡単な構造が確保される。ねじを用いて、柄部分の溝の両方の側壁を互いに向かって引き締めることができる。その場合、溝に配置されたシャンクは側壁により挟みこまれ、それによりシャンクとＴ形握りの柄部分の間の摩擦結合が生ずる。シャンクの長穴の端部がねじのためのストッパーを形成し、これらのストッパーはシャンクの長さ方向に調整可能なＴ形握りの調整範囲を制限する。
【００１１】
　種々の手の形状や手の大きさへの鋏の適応可能性を改良するためにならびに特に操作手の親指に対する圧迫箇所を避けるために、シャンクの長さ方向に固定する握りを回転握りとして形成し、この回転握りを鋏平面内でならびにシャンクの長さ方向を横切って延びる軸線を中心として回転可能であるようにする。この回転握りにより、鋏の人間工学が改善されかつ操作手の親指の痛い圧迫箇所を防止する。
【００１２】
　回転握りを、シャンクに配置された柄部分に支承すれば簡単である。柄部分はこの目的のために、内側支承部を有し、この内側支承部において回転握りに取り付けられた支承ボルトが回転可能である。回転握りが任意の回転位置に止めることができれば、提案された鋏の可変性を増大させることができる。そのようにさらに形成すると、回転握りを二つの作用モードで、すなわち自由に回転可能にまたは任意の回転位置に止めることができる。その都度、目下の使用のための目的に叶った作用モードを調整することができる。
【００１３】
　鋏を親指で容易に掴むことができるためにならびに鋏の良好な操作可能性のために、回転握りの回転範囲を或る角度範囲に制限する回転限界部を設ける。
【００１４】
　好ましい実施の形態では、回転限界部は柄部分に設けられた長穴を有し、その端部は、長穴の中へ突出する、回転握りに取り付けられたピンに対するストッパーとして役立つ。ピンが長穴の一端にまたは他端に隣接するように使用者が回転握りを回転させると、鋏の特に正確な操作が達成される。回転握りのこの位置では、親指により操作された鋏半部も中指や薬指により操作された鋏半部も正確に操作されている。回転握りが回転範囲の端部の間に存在する回転位置に存在する場合に、主として、Ｔ形握りが設けられた他方の鋏半部が鋏の操作を引き受ける。これに対して、回転範囲の端部の間に存在する回転握りの回転位置でも全く直接の操作が親指を介して可能になる場合には、回転握りをこの所望の回転位置に止めることができる。
【００１５】
　好都合には、回転握りの支承ボルトの自由端が柄部分を貫通して、ねじがこの自由端にねじこまれ、ねじは固く引き締められた状態で回転握りの停止を実現し、そして始動トルクが小さいときに回転握りの回転可能性を許す。
親指が回転握りの中へ容易に導入できなければならない場合に、回転握りをＣ形に形成するのが好都合である。これに代わる仕方として、回転握りの特に良い操作可能性が大事である場合には、回転握りを閉鎖された握りアイとして形成する。
【発明の効果】
【００１６】
　本発明の構成によれば、常に種々の大きさの手にとって最適な握り位置が調整可能であり、かつ使用中常に正確な触感を提供することができる。Ｔ形握りが設けられた柄部分とシャンクの連結部の構成により、頻繁に使用しても全く圧迫箇所を生ぜしめず、かつ常に正確に操作することができる。また、Ｔ形握りではない方を回転握りとして形成することにより、種々の手の形状や手の大きさへの鋏の適応可能性を改良し、ならびに操作手の親指に対する圧迫を避けることができる。
【発明を実施するための最良の形態】
【００１７】
　以下、本発明を図面に示した実施の形態により詳細に説明する。
【００１８】
　図１によれば、鋏１は回転軸２で連結された二つの鋏半部３と４からなり、これらの鋏半部はそれぞれ刃５と６ならびに握りを有するシャンク７と８を有する。
【００１９】
　各鋏半部３と４のシャンク７または８に、それぞれ一つの握りを支持する柄部分１１または１２が設けられている。一方の鋏半部３の握りは一体のＴ形握り９として形成され、このＴ形握り９はシャンク７からほぼ垂直に鋏平面内を横に突き出ているウエブ１３を有する。ウエブ１３の、シャンク７と反対側端部に、このウエブはシャンク７のほぼ長さ方向に向かい合って延びている脚部１４と１５を有する。このＴ形握り９は一体の合成樹脂部品である。他方の鋏半部４の握りは回転握り１０として形成されかつ鋏平面内でならびにシャンク８の長さ方向を横切って延びる軸線１６を中心として回転可能である。回転握り１０も、実質的に合成樹脂からなる。Ｔ形握り９ならびに回転握り１０は他の材料、例えばダイカスト金属からなることもできるのは自明である。
【００２０】
　Ｔ形握り９は、図２により見ることができるように、取り外し可能でありならびに第一の鋏半部３のシャンク７の長さ方向に調整可能でありかつ止めることができる。その調整可能性はＴ形握り９の柄部分１１とシャンク７の間の溝とばねの連結部を介して達成される。回転握り１０は、閉鎖された握りアイ１０ａとしてまたは片側に開放した形状を有するＣ形握り１０ｂとして形成することができる。
【００２１】
　本実施の形態では、Ｔ形握り９の柄部分１１が溝７を有しかつシャンク７が付設されたばねを形成する。柄部分１１の溝１７は、図３に最も良く認められるように、二つの平行な側壁１７ａと１７ｂを有する。図３によれば、溝１７の側壁１７ａはねじ１９のための差し込み穴１８を有する。差し込み穴１８に一直線に並んで向かい合って、溝１７の他方の側壁１７ｂに、ねじ１９のための雌ねじ２０が設けられている。図２による実施の形態は柄部分１１の外側に、雌ねじ２０のための密閉小板２０ａが設けてあり、この密閉小板は汚染を阻止しかつマーク手段のための支持体として役立つ。
【００２２】
　さらに、図２は、柄部分１１の溝１７に変位可能に収容されたシャンク７が鋏平面に、ねじ１９が貫通する長穴２１を有する。柄部分１１は長穴２１の長さにわたって変位可能にシャンク７と連結されている。長穴２１の端部はねじ１９のためのストッパー２１ａと２１ｂを形成しかつシャンク７に沿ったＴ形握り９の調整範囲を制限する。
【００２３】
　シャンク７上に載せられたＴ形握り９の柄部分１１は、ねじ１９なしでシャンク７上を容易に摺動させることができる。止めるためには、ねじ１９をシャンクを通して差し込みかつ柄部分１１の側壁１７ｂの雌ねじ２０の中へねじ込む。溝１７の側壁１７ａと１７ｂは弾性的に曲がりやすいので、これらの側壁はねじ１９を引き締めることにより互いに向かって曲げることができる。このようにして、シャンク７は溝１７の側壁１７ａと１７ｂの間に挟まれる。
【００２４】
　回転握り１０はシャンク７に配置された柄部分１１に支承され、柄部分１１はこの目的のために内側支承部２２を有する。回転握り１０自体に支承ボルト２３が設けられており、この支承ボルトはその自由端が内側支承部２２に差し込まれて、このようにして回転支承される。支承ボルト２３の自由端にねじこまれたねじ２４を介して、回転握り１０の支承ボルト２３が軸方向に固定されるので、回転握り１０が鋏の使用時に柄部分１１から離れることができない。このために、支承ボルト２３には雌ねじ２５が設けられている。ねじ２４は支承ボルト２３の雌ねじ２５に軽い抵抗に抗してねじこむことができる。このようにして、ねじ２４はなくさないように確保される。この実施の形態によれば、回転握り１０は、前述したように実質的に合成樹脂からなる。支承ボルト２３のみが金属で製造されている。回転握りは、射出成形法で金属の支承ボルト２３に一体成形されている。
【００２５】
　回転握り１０は回転制限部２６を介して任意の回転位置に止めることができる。回転制限部２６は、柄部分１２に設けられた円弧状の長穴２７ならびに回転握り１０に取り付けられた、長穴２７の中へ突出するピン２８を有する。
【００２６】
　図４は柄部分１２の平面図を示し、内側支承部２２ならびに回転制限部２６の円弧状長穴２７が具体的に説明されている。さらに、ストッパー１２ａならびに凹部１２ｂが認められるが、ストッパー１２ａは鋏半部３と４の閉鎖状態で柄部分１１に対するストッパーとして役立ち、また凹部１２ｂには鋏半部４のシャンク８が差し込まれる。シャンク８と柄部分１２の間の結合はプレス嵌めとして実施されている。これらは代わりにまたは追加して接着結合として実施することもできる。円弧状長穴２７の円弧の中心点および回転握り１０の回転軸線２９は互いに同心に配置されている。それ故、取り付けた状態において、回転握り１０のピン２８は、長穴２７の中心線と一致する円弧上を動く。
【００２７】
　回転握り１０の支承ボルト２３の自由端は柄部分１１をほとんど貫通する。回転握り１０と、支承ボルト２３の自由端の中へねじ込まれたねじ２４との間に、ねじ２４の引き締めにより締付け作用を達成できるように柄部分１２がはめ込まれている。ねじ２４をしっかり引き締めることにより、回転握り１０を任意の回転位置に止めることができる。ねじ２４の始動トルクが小さい場合に、このことは、鋏の使用中、回転握り１０を回転させることができる回転可能性を許す。
【００２８】
　さらに、回転制限部２６の円弧状長穴２７の端部が回転握り１０のピン２８に対するストッパー２７ａと２７ｂを形成する。ストッパー２７ａと２７ｂは、回転握り１０の回転領域を、長穴２７により与えられた角度範囲Ｗに制限する。
【産業上の利用可能性】
【００２９】
　本発明によれば、種々の手の形状や手の大きさへの鋏の適応可能性を改良し、また操作手の親指に対する圧迫を解消して、頻繁に使用しても全く圧迫箇所を発生させず、かつ常に正確に操作することを可能とするので、特に理容師用として好適な鋏を提供できる。
【図面の簡単な説明】
【００３０】
【図１】鋏の側面図である。
【図２】鋏を基本構成要素に分解した状態で示す側面図である。
【図３】図２の線III-III に沿って切断した柄部分の断面図である。
【図４】図２の線IVの方向から見た回転握りのための柄部分の単独図である。
【符号の説明】
【００３１】
１　鋏
２　回転軸
３　鋏半部
４　鋏半部
５　刃
６　刃
７　シャンク
８　シャンク
９　Ｔ形握り
１０　回転握り
１０ａ　握りアイ
１０ｂ　Ｃ形握り
１１　柄部分
１２　柄部分
１３　ウエブ
１４　脚部
１５　脚部
１６　軸線
１７　溝
１８　差し込み穴
１９　ねじ
２０　雌ねじ
２１　長穴
２１ａ　ストッパー
２１ｂ　ストッパー
２２　内側支承部
２３　支承ボルト
２４　ねじ
２５　雌ねじ
２６　回転限界部
２７　円弧状長穴
２７ａ　ストッパー
２７ｂ　ストッパー
２８　ピン
Ｗ　角度範囲
【図１】
2004113820.tif 000003
【図２】
2004113820.tif 000004
【図３】
2004113820.tif 000005
【図４】
2004113820.tif 000006